(57)【特許請求の範囲】
【請求項１】
上面の三方に設けられたテーパー面と、これら三方のテーパー面の中間部の各々に円孔を有する載台部とを備えた本体部と、上記本体部の上面に設けられ、光ピックアップを保持するための板状体とを備え、上記板状体は、上記三方のテーパー面に当接する下面縁側に設けられた傾角調整用円弧面と、上記載台部の各々に載置され、微調整用ビス螺入用の傾角調整用雌ネジ孔が穿設された突片とを有し、前記三方の突片のうちの２つの突片に傾角微調整用ビスが螺入され、前記三方の突片のうちの１つの突片にアクチュエーターがネジ止め状態で垂下され、このアクチュエーターの本体は前記本体部の円孔内に配設され、この円孔内には凹部が形成され、この凹部内に中心部に開口が形成された板体が介在されると共に、この板体とアクチュエーターの頭部との間にスプリングが介在され、このスプリングにより、アクチュエーターを介して板状体を本体部の端面側に引っ張っており、このスプリングに抗して各傾角微調整用ビスを操作することにより、光ピックアップの光軸を調整するようにした光ピックアップ光軸の傾角調整機構において、前記アクチュエーターを垂設保持する前記突片の先端部分を下面が略半球状に形成される樹脂で覆って、この樹脂の略半球状部を前記円孔の孔上縁に当設することによって、前記光ピックアップの光軸の傾角調整を正確に行うように構成したことを特徴とする光ピックアップ光軸の傾角調整機構。
【請求項２】
上面の三方に設けられたテーパー面と、これら三方のテーパー面の中間部の各々に円孔を有する載台部とを備えた本体部と、上記本体部の上面に設けられ、光ピックアップを保持するための板状体とを備え、上記板状体は、上記三方のテーパー面に当接する下面縁側に設けられた傾角調整用円弧面と、上記載台部の各々に載置され、微調整用ビス螺入用の傾角調整用雌ネジ孔が穿設された突片とを有し、前記三方の突片のうちの２つの突片に傾角微調整用ビスが螺入され、前記三方の突片のうちの１つの突片にアクチュエーターがネジ止め状態で垂下され、このアクチュエーターの本体は前記本体部の円孔内に配設され、この円孔内には凹部が形成され、この凹部内に中心部に開口が形成された板体が介在されると共に、この板体とアクチュエーターの頭部との間にスプリングが介在され、このスプリングにより、アクチュエーターを介して板状体を本体部の端面側に引っ張っており、このスプリングに抗して各傾角微調整用ビスを操作することにより、光ピックアップの光軸を調整するようにした光ピックアップ光軸の傾角調整機構において、前記アクチュエーターを垂設保持する前記突片の先端部分の下面側に略半球状部を形成し、この略半球状部を前記円孔の孔上縁に当接することによって、前記光ピックアップの光軸の傾角調整を正確に行うように構成したことを特徴とする光ピックアップ光軸の傾角調整機構。
【請求項３】
前記略半球状部が樹脂駒から形成され、この略半球状樹脂駒は、前記突片
の先端部分の下面に、上記アクチュエーターの上部のネジ部によって取付け固定されていることを特徴とする請求項２に記載の光ピックアップ光軸の傾角調整機構。
【請求項４】
前記略半球状部は、前記突片の先端部分の下面に突片と一体に設けられていることを特徴とする請求項２に記載の光ピックアップ光軸の傾角調整機構。
【発明の詳細な説明】
【０００１】
【発明の属する技術分野】
本発明は、本体部の上面の三方に、光ピックアップを保持するための板状体の三方に設けられ下面縁側の傾角調整用円弧面に当接するテーパー面が設けられるとともに、テーパー面の対角線状の三方の縁部に、板状体における微調整用ビス螺入用の傾角調整用雌ネジ孔が穿設された突片がそれぞれ載置され円孔を有する載台部が設けられていて、三方の突片のうちの２つの突片に傾角微調整用ビスが螺入され、三方の突片のうちの１つの突片にアクチュエーターがネジ止め状態で垂下され、このアクチュエーターの本体は本体部の円孔内にスプリングによってフリーな状態で垂設保持された光ピックアップ光軸の傾角調整機構に関する。
【０００２】
【従来の技術】
従来、この種の光ピックアップ光軸の傾角調節機構におけるアクチュエーターの構造として、例えば、図９に示すがある。
これは、アクチュエーターの本体１０１の上部にネジ部１０２が設けられていて、このネジ部１０２がＡＣＴベースと称される突片１０３の先端に取付けられていて、このアクチュエーターの本体１０１は、本体部１０４の円孔１０５内にスプリング１０６でフリーな状態で垂設保持されていた。
ところが、アクチュエーターの本体１０１は、スプリング１０６の引力だけで傾角調整機構の支点の固定がなされていたので、ずれが生じやすくて不安定であり、アクチュエーターの本体１０１の動きがぎこちないという問題があった。
【０００３】
また、昭５９−３３１２９号公報には、光学式ピックアップの支持装置が記載されている。
これは、図１０、図１１（ａ）（ｂ）に示すように、下段の第１の平面部材２３２、中段の第２平面部材２３３および上段の第３平面部材２３４を、各対接面に互いに直交する各一軸上に中心を有する複数個の球体２５２、２５３を介在して重合し、第１の平面部材２３２と第２の平面部材２３３との間に第１の調整ねじ２５４を取付けるとともに、第１の平面部材２３２と第２の平面部材２３３とをスプリング２５６で弾性的に押圧保持し、かつ、第２の平面部材２３３と第３の平面部材２３４との間に第２の調整ねじ２５７を取付けるとともに、第２の平面部材２３３と第３の平面部材２３４とをスプリング２５９で弾性的に押圧保持し、第３の平面部材２３４上に光学式ピックアップ２６１を装着したものである。
ところが、これは、第１の調整ねじ２５４とねじ２５５及び第２の調整ねじ２５７とねじ２５８の前後及び左右の二重構造でピックアップ２６１の光軸の傾角を調整するものであった。
【０００４】
また、昭６０−１９２１１９号公報には、ディスクプレーヤのピックアップ調節機構が記載されている。
これは、図１２、図１３（ａ）（ｂ）に示すように、回転駆動自在な支持軸３０１にディスク３０４が載置され、このディスク３０４の記録面にピックアップ３１４の対物レンズ３１４ａが間隔を有して対向されており、このピックアップ３１４はキャリッジ３１０に載置され、このキャリッジ３１０がディスク３０４の記録面に沿って移動自在になっているディスクプレーヤにおいて、ピックアップ３１４は支持部材３１３に固定されており、この支持部材３１３とキャリッジ３１０との間にボール３１５が介装されて支持部材３１３がキャリッジに３１０対しボール３１５の球面によって傾斜自在に支持されており、且つキャリッジ３１０にはボール３１５に対して間隔を介して位置する調節ねじ３１９ａ、３１９ｂと、このボール３１５に対して調節ねじ３１９ａ、３１９ｂと交叉する方向に間隔を介して位置する他の調節ねじ３２１ａ、３２１ｂが挿入されており、この両調節ねじ３２１ａ、３２１ｂの先端が支持部材３１３に螺着されているものである。
ところが、これは、調整ねじ３１９ａ、３０９ｂとこの調整ねじ３１９ａ、３１９ｂと交叉する方向の他の調整ねじ３２１ａ、３２１ｂで前後及び左右の二重構造でピックアップ３１４の光軸の傾角を調整するものであった。
【０００５】
また、実開平６−１９１２１号公報には、光軸調整機構が記載されている。
これは、図１４（ａ）（ｂ）に示すように、光ディスク装置等の光ヘッドの光軸の調整において、光軸の中心となる部分にテーパー付溝４０４をもうけたキャリッジ４０１と、この溝４０４に配した球状体４０２と、この球状体４０２に対応した位置にテーパー付取付孔４０５、光軸の円周方向に取付孔、光軸の直径方向に取付孔４０７、取付孔４０５及び取付孔４０５に対角する角部に取付孔４０８をそれぞれ配設したヘッドベース４０３と、キャリッジ４０１とヘッドベース４０３を取付ける頭部内側にテーパー部を有するネジ４０９およびネジ４１０、丸頭部内側に平面部を有するネジ４１１と、ヘッドベース４０３に常時上方向に付勢力するネジ４０９の近傍に設けた弾性素材４１２およびネジ４１０の近傍にもうけた弾性素材、常時下方向に付勢力するネジ４１１の近傍に設けた弾性素材４１４で構成したものである。
ところが、これにおいては、ネジ４１１が挿入されている取付孔４０８の孔径が大きいので、この部分でがたつきが生じてしまうという問題があった。
【０００６】
【発明が解決しようとする課題】
本発明は上記従来の問題を解消し、アクチュエーターの本体の動きをスムーズにすることができて、がたつきがなくて安定した状態で光ピックアップの光軸の傾角調整を行うことができ、しかも、各部品間の剛性を高めることができる光ピックアップ光軸傾き調整機構を提供することを目的としている。
【０００７】
【課題を解決するための手段】
本発明は、上記課題を解決するために提案されたものであって、請求項１に記載の発明は、上面の三方に設けられたテーパー面と、これら三方のテーパー面の中間部の各々に円孔を有する載台部とを備えた本体部と、上記本体部の上面に設けられ、光ピックアップを保持するための板状体とを備え、上記板状体は、上記三方のテーパー面に当接する下面縁側に設けられた傾角調整用円弧面と、上記載台部の各々に載置され、微調整用ビス螺入用の傾角調整用雌ネジ孔が穿設された突片とを有し、前記三方の突片のうちの２つの突片に傾角微調整用ビスが螺入され、前記三方の突片のうちの１つの突片にアクチュエーターがネジ止め状態で垂下され、このアクチュエーターの本体は前記本体部の円孔内に配設され、この円孔内には凹部が形成され、この凹部内に、中心部に開口が形成された板体が介在されると共に、この板体とアクチュエーターの頭部との間にスプリングが介在され、このスプリングにより、アクチュエーターを介して板状体を本体部の端面側に引っ張っており、このスプリングに抗して各傾角微調整用ビスを操作することにより、光ピックアップの光軸を調整するようにした光ピックアップ光軸の傾角調整機構において、前記アクチュエーターを垂設保持する前記突片の先端部分を下面が略半球状に形成される樹脂で覆って、この樹脂の略半球状部を前記円孔の孔上縁に当設することによって、前記光ピックアップの光軸の傾角調整を正確に行うように構成したことを特徴としている。
【０００８】
請求項２に記載の発明は、上面の三方に設けられたテーパー面と、これら三方のテーパー面の中間部の各々に円孔を有する載台部とを備えた本体部と、上記本体部の上面に設けられ、光ピックアップを保持するための板状体とを備え、上記板状体は、上記三方のテーパー面に当接する下面縁側に設けられた傾角調整用円弧面と、上記載台部の各々に載置され、微調整用ビス螺入用の傾角調整用雌ネジ孔が穿設された突片とを有し、前記三方の突片のうちの２つの突片に傾角微調整用ビスが螺入され、前記三方の突片のうちの１つの突片にアクチュエーターがネジ止め状態で垂下され、このアクチュエーターの本体は前記本体部の円孔内に配設され、この円孔内には凹部が形成され、この凹部内に、中心部に開口が形成された板体が介在されると共に、この板体とアクチュエーターの頭部との間にスプリングが介在され、このスプリングにより、アクチュエーターを介して板状体を本体部の端面側に引っ張っており、このスプリングに抗して各傾角微調整用ビスを操作することにより、光ピックアップの光軸を調整するようにした光ピックアップ光軸の傾角調整機構において、前記アクチュエーターを垂設保持する前記突片の先端部分の下面側に略半球状部を形成し、この略半球状部を前記円孔の孔上縁に当接することによって、前記光ピックアップの光軸の傾角調整を正確に行うように構成したことを特徴としている。
【０００９】
請求項３に記載の発明は、前記略半球状部が樹脂駒から形成され、この略半球状樹脂駒は、前記突片の先端部分の下面に、上記アクチュエーターの上部のネジ部によって取付け固定されていることを特徴としてている。
請求項４に記載の発明は、前記略半球状部は、前記突片の先端部分の下面に突片と一体に設けられていることを特徴としている。
【００１０】
【発明の実施の形態】
以下、本発明に係る光ピックアップ光軸の傾角調整機構の実施の形態について、図を参照しつつ説明する。
図１は本発明の実施形態の光ピックアップの傾角調整機構の全体構成を示す平面図、図２は図１におけるＡ−Ａ線断面図、図２は図１におけるＢ−Ｂ線断面図、図４は図１におけるＣ−Ｃ線断面図、図５は同機構におけるアクチュエーターの本体の保持構造を示す要部の拡大断面図、図６はアクチュエーターの本体の上部とＡＣＴベースと称される板状体の突片を下部が略半球状の樹脂で覆った状態の要部の部分斜視図である。
【００１１】
本実施形態の光ピックアップ光軸の傾角調整機構は、図１、図２、図３、図４に示すように、本体部１の上面の盛り上がった枠状部２の三方に、光ピックアップ３を保持するためのＡＣＴベースと称される板状体４の三方に設けられ下面縁側の傾角調整用円弧面４ａ、４ｂ、４ｃに当接するテーパ面２ａ、２ｂ、２ｃが設けられるとともに、このテーパ面２ａ、２ｂ、２ｃの対角線状の三方の縁部に、板状体４における微調整用ビス螺入用の傾角調整用雌ネジ孔５ａ、６ａ、７ａが突設された突片５、６、７がそれぞれ載置され円孔８ａ、９ａ、１０ａを有する載台部８、９、１０が設けられている。
そして、前記した三方の突片５、６、７のうちの後側の２つの突片５、６に傾角微調整用ビス１１、１１が螺入され、前記した三方の突片のうちの前側の１つの突片１０にアクチュエーター１２がネジ止め状態で垂下されている。
【００１２】
また、このアクチュエーター１２の本体１２Ａは本体部１の円孔１０ａ内にスプリング１３を介して垂設保持されている。そして、図５、図６に示すように、アクチュエーター１２を垂設保持する突片７の先端部分を下面１４ａが略半球状に形成される樹脂１４で覆って、この樹脂の略半球状部１４ａを円孔１０ａの孔上縁１０ｂに当接するようにしている。このようにすることによって、光ピックアップ３の光軸の傾角調整を正確に行うようにできる。尚、図１、図４において、符号１５は、板状体４の中心部に立設された支軸１６に保持され、光軸孔１７に臨む光ピックアップ３の光学レンズである。
【００１３】
したがって、本実施形態の光ピックアップ光軸の傾角調整機構によれば、アクチュエーター１２を垂設保持する突片７の先端部分を下面１４ａが略半球状に形成される樹脂１４で覆って、この樹脂の略半球状部１４ａを円孔１０ａの孔上縁１０ｂに当接するようにしているので、アクチュエーター１２の本体１２Ａの動きをスムーズにすることができて、がたつきがなくて安定した状態で光ピックアップ３の光軸の傾角調整を行うことができ、しかも、各部品間の剛性を高めることができる。
更に、樹脂の略半球状部１４ａで突片７の先端部分を覆うことによって、この部分の突片７とアクチュエーター１２の本体１２Ａ及びネジ部１２ａとの取付け状態を強固なものとすることができる。
【００１４】
また、図７に示すように、ＡＣＴベースと称される板状体４の突片７の下面に下部が半球状の樹脂駒１８を介在して、アクチュエーター１２の本体１２Ａの上部のネジ部１２ａによって板状体１の突片７の先端部分の下面に取付け固定するように構成してもよい。
このようにすることによって、樹脂駒１８が別部品であるので、取付け・取り外しを簡単に行うことができ、メンテナンスを容易に行うことができ、略半球状の下面が磨耗したときにも簡単に取り換えることができる。
【００１５】
また、図８に示すように、ＡＣＴベースと称される板状体４の突片７の下部に略球状部７Ａを一体に設けるようにしてもよい。
このことによって、突片７と略半球状部７Ａが一体に形成されているので、強度が強い構造とすることができ、しかも、別部材を必要としないので、コストダウンを図ることができる。
【００１６】
【発明の効果】
以上を説明したように、請求項１に記載の発明は、上面の三方に設けられたテーパー面と、これら三方のテーパー面の中間部の各々に円孔を有する載台部とを備えた本体部と、本体部の上面に設けられ、光ピックアップを保持するための板状体とを備え、板状体は、三方のテーパー面に当接する下面縁側に設けられた傾角調整用円弧面と、載台部の各々に載置され、微調整用ビス螺入用の傾角調整用雌ネジ孔が穿設された突片とを有し、三方の突片のうちの２つの突片に傾角微調整用ビスが螺入され、三方の突片のうちの１つの突片にアクチュエーターがネジ止め状態で垂下され、このアクチュエーターの本体は本体部の円孔内に配設され、この円孔内には凹部が形成され、この凹部内に、中心部に開口が形成された板体が介在されると共に、この板体とアクチュエーターの頭部との間にスプリングが介在され、このスプリングにより、アクチュエーターを介して板状体を本体部の端面側に引っ張っており、このスプリングに抗して各傾角微調整用ビスを操作することにより、光ピックアップの光軸を調整するようにした光ピックアップ光軸の傾角調整機構において、アクチュエーターを垂設保持する前記突片の先端部分を下面が略半球状に形成される樹脂で覆って、この樹脂の略半球状部を前記円孔の孔上縁に当設することによって、光ピックアップの光軸の傾角調整を正確に行うように構成したので以下に述べる効果を奏する。
【００１７】
即ち、アクチュエーターを垂設保持する突片の先端部分を下面が略半球状に形成される樹脂で覆って、この樹脂の略半球状部を円孔の孔上縁に当接するようにしているので、アクチュエーターの本体の動きをスムーズにすることができて、がたつきがなくて安定した状態で光ピックアップの光軸の傾角調整を行うことができ、しかも、各部品間の剛性を高めることができる。
更に、樹脂の略半球状部で突片の先端部分を覆うことによって、この部分の突片とアクチュエーターの本体及びネジ部との取付け状態を強固なものとすることができる。
【００１８】
請求項２に記載の発明は、上面の三方に設けられたテーパー面と、これら三方のテーパー面の中間部の各々に円孔を有する載台部とを備えた本体部と、本体部の上面に設けられ、光ピックアップを保持するための板状体とを備え、板状体は、三方のテーパー面に当接する下面縁側に設けられた傾角調整用円弧面と、載台部の各々に載置され、微調整用ビス螺入用の傾角調整用雌ネジ孔が穿設された突片とを有し、三方の突片のうちの２つの突片に傾角微調整用ビスが螺入され、三方の突片のうちの１つの突片にアクチュエーターがネジ止め状態で垂下され、このアクチュエーターの本体は本体部の円孔内に配設され、この円孔内には凹部が形成され、この凹部内に、中心部に開口が形成された板体が介在されると共に、この板体とアクチュエーターの頭部との間にスプリングが介在され、このスプリングにより、アクチュエーターを介して板状体を本体部の端面側に引っ張っており、このスプリングに抗して各傾角微調整用ビスを操作することにより、光ピックアップの光軸を調整するようにした光ピックアップ光軸の傾角調整機構において、アクチュエーターを垂設保持する突片の先端部分の下面側に略半球状部を形成し、この略半球状部を前記円孔の孔上縁に当接することによって、前記光ピックアップの光軸の傾角調整を正確に行うように構成したので、以下に述べる効果を奏する。
【００１９】
即ち、アクチュエーターを垂設保持する突片の先端部分を下面が略半球状に形成される樹脂で覆って、この樹脂の略半球状部を円孔の孔上縁に当接するようにしているので、アクチュエーターの本体の動きをスムーズにすることができて、がたつきがなくて安定した状態で光ピックアップの光軸の傾角調整を行うことができ、しかも、各部品間の剛性を高めることができる。
【００２０】
請求項３に記載の発明は、略半球状部が樹脂駒から形成され、この略半球状樹脂駒は、突片の先端部分の下面に、アクチュエーターの上部のネジ部によって取付け固定されているので、樹脂駒が別部品であるので、取付け・取り外しを簡単に行うことができ、メンテナンスを容易に行うことができ、略半球状の下面が磨耗したときにも簡単に取り換えることができる。
【００２１】
請求項４に記載の発明は、略半球状部は、突片の先端部分の下面に突片と一体に設けられているので、突片と略半球状部が一体に形成されていて、強度が強い構造とすることができ、しかも、別部材を必要としないので、コストダウンを図ることができる。
【図面の簡単な説明】
【図１】実施形態の光ピックアップの傾角調整機構の全体構成を示す平面図である。
【図２】図１におけるＡ−Ａ線断面図である。
【図３】図１におけるＢ−Ｂ線断面図である。
【図４】図１におけるＣ−Ｃ線断面図である。
【図５】同機構におけるアクチュエーターの本体の保持構造を示す要部の拡大断面図である。
【図６】アクチュエーターの本体の上部とＡＣＴベースと称される板状体の突片を下部が略半球状の樹脂で覆った状態の要部の部分斜視図である。
【図７】ＡＣＴベースと称される板状体の突片の下面に下部が半球状の樹脂駒を介在して、アクチュエーターの本体の上部のネジ部によって板状体の突片の先端部分の下面に取付け固定した状態の部分斜視図である。
【図８】ＡＣＴベースと称される板状体の突片の下部に略球状部を一体に設けた状態の部分斜視図である。
【図９】従来の光ピックアップ光軸の傾角調整機構におけるアクチュエーターの本体の垂設保持状態を示す部分断面図である。
【図１０】従来の光学式ピックアップの支持装置の一部を切り欠いた斜視図である。
【図１１】（ａ）は図１０におけるＭ−Ｍ部の断面図、（ｂ）は図１０におけるＮ−Ｎ部の断面図である。
【図１２】従来のディスクプレーヤのピックアップ調整機構を備えたＣＤプレーヤの部分平面図である。
【図１３】（ａ）は同ＣＤプレーヤの部分正面図、（ｂ）は同ＣＤプレーヤの部分右側面図である。
【図１４】従来の光軸調整機構を示し（ａ）はその部分平面図、（ｂ）はその部分断面図である。
【符号の説明】
１                本体部
２ａ、２ｂ、２ｃ  テーパ面
３                光ピックアップ
４                板状体
４ａ、４ｂ、４ｃ  傾角調整用円弧面
５                突片
５ａ              微調整用ビス螺入用の傾角調整用雌ネジ孔
６                突片
６ａ              微調整用ビス螺入用の傾角調整用雌ネジ孔
７                突片
７Ａ              略半球部
７ａ              微調整用ビス螺入用の傾角調整用雌ネジ孔
８                載台部
８ａ              円孔
９                載台部
９ａ              円孔
１０              載台部
１０ａ            円孔
１０ｂ            孔上縁
１１              傾角微調整用ビス
１２              アクチュエーター
１２Ａ            本体
１２ａ            ネジ部
１３              スプリング
１４              樹脂
１４ａ            下面（略半球状部）
１８              半球状の樹脂駒
【図１】
0003612707.tif 000002
【図２】
0003612707.tif 000003
【図３】
0003612707.tif 000004
【図４】
0003612707.tif 000005
【図５】
0003612707.tif 000006
【図６】
0003612707.tif 000007
【図７】
0003612707.tif 000008
【図８】
0003612707.tif 000009
【図９】
0003612707.tif 000010
【図１０】
0003612707.tif 000011
【図１１】
0003612707.tif 000012
【図１２】
0003612707.tif 000013
【図１３】
0003612707.tif 000014
【図１４】
0003612707.tif 000015